(57)【要約】平均的なサイズの車両により容易に輸送でき，独自の組立体及び支持システムを有し，外形の高さが低く伸張可能で移動式で剛性構造の構造体（１０）。構造体（１０）は，中央屋根部（１８）と，一対の端壁組立体（２０）と，基礎に取り付けられている中央床とを有する中央構造体（１２）を備えている。端壁（２０）は２つの部材から成り，底部端壁パネル（２６）と上部端壁パネル（２４）とを有する。中央構造体（２０）の側面から，１つ以上の側部（４８Ａ），（４８Ｂ）が縮小可能及び伸張可能であり，これによって，内部の床スペースのサイズを増加させる。２つの部材から成る端壁（２０）を用いると，移動のために構造体を圧縮することが，端壁（２６）の下部部分を並進させて，下部部分が上部部分を支持しないようにすることにより可能となる。２つの部材から成るドア（２８），（２０）を用いると，これらを伸長して構造体（１０）へ入ることが可能となる。
2005536666.tif 000002
【特許請求の範囲】
【請求項１】
移動式伸張可能構造体であって，
中央屋根部と一対の端壁組立体及び中央床で基礎に取り付けられる中央構造体とを備え；
前記中央屋根部と前記中央床と前記端壁との間の領域で，中央キャビティとされる領域と；
前記端壁は、底部端壁パネルと上部端壁パネルとを有し，前記上部端壁パネルは，第１の端部で前記中央屋根部と連通し，下方へ向かって延びて遠位端に到達しており；
少なくとも一の側部と；
前記側部は，側部屋根部と，側部床パネルを載置している側部の基礎とを有し；
前記側部は，側部壁を有し，該側部壁は，上部側部壁パネルと，前記側部基礎に取り付けられている下部側部壁パネルとを有し；
前記側部は，側部端壁を有し，前記側部端壁は，各々上部側部端壁と，前記基礎に取り付けられている下部側部端壁を有し；
前記側部は，前記中央キャビティ内に縮小された保管位置から，前記中央キャビティから突出している伸長位置へ並進可能であり；
前記中央屋根部と，前記側部屋根部と，前記上部側部壁と，前記上部側部端壁パネルとは共働して，前記基礎に隣接する静止位置から，前記基礎の上方に上昇された上昇位置へ，1つの上部ユニットとして同時に一緒に上昇し；
前記静止位置と前記上昇位置との間で前記上部ユニットを上下させる手段と；
前記保管位置から前記伸長位置へ前記側部ユニットを並進させる手段；
及び
前記中央キャビティと，前記移動式伸張可能構造体の外部との間を連通するドア入口手段を備えている移動式伸張可能構造体。
【請求項２】
請求項１記載の移動式伸張可能構造体であって，
前記ドア入口手段は，上部ドア部と下部ドア部とから形成され，
前記上部ドア部は，前記上部側壁または前記上部側部端壁パネルのうちのいずれかに形成され，
前記下部ドア部は，前記下部側壁または前記下部端壁パネルのいずれかに形成され，かつ前記上部ドア部の直接下に形成されている移動式伸張可能構造体。
【請求項３】
請求項１記載の移動式伸張可能構造体であって，さらに，
前記上部端部パネルは，前記第１の端部から前記遠位端へ垂直に前記上部端部パネルを貫通して延びる上部中央軸線を有し，
前記底部端壁パネルは，前記基礎に隣接する底部端縁を有し，前記底部端縁と向かい合う上部端縁をさらに有し，前記上部端縁と前記底部端縁との間で前記底部端縁を貫通して延びる底部中央軸線をさらに有し，
前記底部端壁パネルの各々は，前記底部中央軸線が前記上部中央軸線に隣接する第１の位置から，前記底部中央軸線が前記上部中央軸線と実質的に一直線を成す支持位置であって，前記底部端壁パネルの前記上部端縁が前記上部端壁の前記遠位端で前記上部端壁部分と接触し合い，かつこれを支持し，これによって前記上部ユニットの前記重量が前記底部端壁部分により支持される支持位置へ並進可能である移動式伸張可能構造体。
【請求項４】
請求項３記載の移動式伸張可能構造体であって，
前記ドア入口手段は，上部ドア部と下部ドア部とから形成され，
前記上部ドア部は，前記上部端壁パネルのうちの一の中に形成され，
前記下部ドア部は，前記下部端壁パネルのうちの一の中に形成され，かつ前記上部ドア部の直接下に形成され，これによって前記下部ドア部は，前記下部端壁パネルが前記第１の位置にあるときには並進して前記上部ドア部と一直線上にある位置からずれる移動式伸張可能構造体。
【請求項５】
請求項１記載の移動式伸張可能構造体であって，
前記中央床パネルは上面を有し，前記側部床パネルは上面を有し，前記中央床パネルの前記上面と前記側部床パネルの前記上面とは，前記側部が前記伸長位置にあり，これによって前記中央キャビティ及び前記側部にあって単一の実質的に平らな床表面が得られるとき，互いにほぼ同一の高さにある移動式伸張可能構造体。
【請求項６】
前記側部床パネルは第１の端縁に沿って回転可能に取り付けられ，かつ搬送位置へ回転し，前記搬送位置は，前記中央床パネルの上面に対して垂直に傾斜し，これによって前記側部床パネルは前記側部が前記保管位置へ並進されるときに，前記搬送位置に配置自在な請求項５に記載の移動式伸張可能構造体。
【請求項７】
前記側部が前記保管位置へ並進されるときに前記搬送位置へ自動的に動かす手段をさらに備えている請求項６に記載の移動式伸張可能構造体。
【請求項８】
前記側部が前記保管位置に並進されるときに前記搬送位置へ自動的に動かす前記手段は，
第１の端部と第２の端部とを有するストラップを備え，
前記第１の端部は，前記側部床パネルの前記第１の端縁と向かい合う遠位端縁で前記側部床パネルに取り付けられ，
前記ストラップの前記第２の端部は，前記上部側壁部に取り付けられ，これによって前記ストラップは，前記上部側壁部により引っ張られて前記静止位置へ動くときに前記保管位置へ前記側部床パネルを回転させる請求項７記載の移動式伸張可能構造体。
【請求項９】
前記側部床パネルは第１の端縁に沿って回転可能に取り付けられ，かつ搬送位置へ回転し，前記搬送位置は，前記中央床パネルの上面に対して垂直に傾斜し，これによって前記側部床パネルは，前記側部が前記保管位置へ並進されるときに前記搬送位置に配置自在な請求項３記載の移動式伸張可能構造体。
【請求項１０】
前記側面床パネルは第１の端縁に沿って回転可能に取り付けられ，かつ搬送位置へ回転し，前記搬送位置は，前記中央床パネルの上面に対して垂直方向で傾斜され，これによって前記側部床パネルは，前記側部が前記保管位置へ並進されるときに前記搬送位置に配置自在な請求項４記載の移動式伸張可能構造体。
【請求項１１】
前記側部床パネルは第１の端縁に沿って回転可能に取り付けられ，かつ搬送位置へ回転し，前記搬送位置は，前記中央床パネルの上面に対して垂直に傾斜し，これによって前記側部床パネルは，前記側部が前記保管位置へ並進されるときに前記搬送位置に配置自在な請求項５記載の移動式伸張可能構造体。
【請求項１２】
前記側部床パネルは第１の端縁に沿って回転可能に取り付けられ，かつ搬送位置へ回転し，前記搬送位置は，前記中央床パネルの上面に対して垂直に傾斜し，これによって前記側部床パネルは，前記側部が前記保管位置に並進されるときに前記搬送位置に配置自在な請求項６記載の移動式伸張可能構造体。
【請求項１３】
前記側部の基礎と，前記側部の基礎に取り付けられている前記下部側壁部と，前記基礎に取り付けられている前記下部側部端壁パネルとは，前記側部の基礎の一の端縁に沿って前記中央構造体の前記基礎に回転可能に係合され，前記側部は前記保管位置へ回転する請求項１記載の移動式伸張可能構造体。
【請求項１４】
前記側部の基礎と，前記側部の基礎に取り付けられている前記下部側壁部と，前記基礎に取り付けられている前記下部側部端壁パネルとは，前記側部の基礎の一の端縁に沿って前記中央構造体の前記基礎に回転可能に係合され，前記側部は前記保管位置へ回転する請求項２記載の移動式伸張可能構造体。
【請求項１５】
前記側部の基礎と，前記側部の基礎に取り付けられている前記下部側壁部と，前記基礎に取り付けられている前記下部側部端壁パネルとは，前記側部の基礎の一の端縁に沿って前記中央構造体の前記基礎に回転可能に係合され，前記側部は前記保管位置へ回転する請求項３記載の移動式伸張可能構造体。
【請求項１６】
側部屋根部と上部側壁部と上部側部端壁パネルとを有する前記側部は，日除けから形成されている請求項１記載の移動式伸張可能構造体。
【請求項１７】
前記側部の数が２である請求項１記載の移動式伸張可能構造体。
【請求項１８】
前記側部の数が２である請求項２記載の移動式伸張可能構造体。
【請求項１９】
前記側部の数が２である請求項３記載の移動式伸張可能構造体。
【請求項２０】
前記中央部の前記基礎は，車輪を有する車軸上に取付けられている請求項１に記載の移動式伸張可能構造体。
【発明の詳細な説明】
【技術分野】
【０００１】
本発明はポータブル構造体の分野に関する。より詳細には，本発明は，容易に搬送及び組み立てができ，逆に同様に迅速かつ便利に移動のために解体できる，一以上の部屋を含む移動式伸張可能構造体の分野に関する。これらのユニットの伸長は，水平方向及び垂直方向の双方に行われ，使用中に屋根及び上部部分を持ち上げられたままに維持する液圧式装置又はその他の支持装置を必要とせずに，屋根及び上部壁を完全に支持することを可能にする。これらの構造体は，自動車により牽引されるように車輪を有する骨組に恒久的に固定されることもあり，そうでないこともある。建設及び支持のための独自の方法が，この特許明細書の本文内で十分に説明される。
【背景技術】
【０００２】
移動式構造体の設計は多数あるが，大部分は構造体の脆さに悩まされ，又は構造体が伸長できる領域に制限があり，一方，その他の設計では，扱いにくく搬送が不便で，組み立てるのに多大の労力がかかる。このようなポータブル軽量構造体は，通常，トレーラーのスタイルであり，個人的な収容設備に使用され，一方大型ユニットは，政府との契約を満たすように設計されている。本明細書に説明及び開示されている装置は，一以上の部屋を有する移動式の市販用又は軍事用収容設備の構造的要件を十分に満たし，しかも，外形の高さが低く，軽量であり，搬送が容易である。本装置は，下部部分上で上部部分を完全に支持することを独自な方法で可能にし，それによって上部部分の荷重負担能力(load-bearing ability)を増加する。
【０００３】
比較的狭い領域内に保管でき，迅速に散開してオフィス，医療室，一時的倉庫，保守及び修理室等として設立できる，災害救助構造体のための適切な収容設備の必要性が，最近非常に顕著になってきた。従来，収容及び救助に使用されるものは全て，荒い地形を移動して所望の活動場所へ到達しなければならなかった。世界中の開発地域全体に道路が開発され，かつ車両の輸送ができる大型空輸飛行機が使用されるので，何らかの形の道路網により到達できない場所はほとんど無い。政府及び軍隊のポータブル構造体への要件においても，重量に関する関心はあまり高くなかった。何故ならば大型車両が通常この種類のユニットを輸送するからであり，この場合の主な関心事は，ユニットを壊れにくくすることにあった。
【０００４】
問題は，この種類の移動式構造体が，都市環境内で容易に移動するには余りに重すぎ，多くの場合組み立てのために重い装置が数多く必要となることである。本発明の数多い独自な特徴のうちの一は，軽量で頑丈な構造体を維持でき，しかも，内部の保護された床領域の平方フィートがほぼ２倍になることにある。付加的な問題が，従来の厄介な移動式構造体を組み立てるのにかかる時間に関して生じる。
【０００５】
本明細書に開示されている独自な装置は，１０分未満で１人又は２人により容易に立ち上げ完全に組み立てでき，同様の時間で解体ができる構造体を提示する。この構造体の一の付加的な特徴は，立ち上げられた構造体内の床が完全に平らであり，大きい作業領域が得られることにある。立ち上げられた構造体は，並進可能な下部端壁により完全に支持されている屋根及び上部側面及び上端を有し，これによって，長期使用中に従来の液圧装置及びねじ延長部にかかる応力を軽減する。開示されている装置の開発にとって同様に重要なことは，重量が抑えられており，しかも政府及び軍との契約における厳しい要件を満たすのに構造的に充分に頑丈であるこの種類のポータブル収容ユニットを提供することである。
【０００６】
フロイド  イー．ビゲロウ(Floyed E. Bigelow)の特許第２８９０４９８号（註：米国特許，以下同じ）は，移動式建築物に関し，より詳細には，容易に組み立て及び解体ができ，解体されると契約保管或は輸送のために小型の集合体に形成できる別々の部材から成る住宅或はキャビン構造体に関する。この構造体は，中央骨組を有せず，災害現場へ高速道路で輸送するのに便利でなく，ポータブルオフィスとして良好に機能しない。
【０００７】
ミカエル  エル．ホニガム(Michael L. Honigam)の特許第３８６６３６５号は，キャビントレーラー或はキャンパーユニットとして使用される装置を組み立てるための多数の高機能機構を内蔵する空間包囲体のための伸張可能構造モジュールを記載している。この装置は，延長長さが十分でなく，政府用の包囲体として売り込むには実用的ではない。
【０００８】
ウォルター  フェン(Walter Fenns)の特許第４６０３５１８号に記載の折り畳み式建築物は，輸送プラットフォーム上に取り付けられ，プラットフォームは，プラットフォーム上に取り付けられている第１の細長ユニットと，建築物が完全に建設されると第１のユニットの側面に位置するようになる一対の折り畳み式細長ユニットとを有する。これは，輸送のためにセミトラックを必要とする大型重量構造体であり，牽引するとき外形高さが低くない。
【０００９】
斉藤  研一郎他(Kenichiro Saito et al)の特許第４,８５０,２６８号は，移動式の用途のための多目的試験室を記載している。この部屋は，気密試験ユニットと入口ユニットと空調システムとを有するハウジング構造体を備えている。これは，専門化された構造体であり，その他の用途のために輸送したり使用したりすることは容易でない。
【００１０】
レスリー  ジェイ．ヘゲダス(Leslie J. Hegedus)の特許第４９５８８７４号が開示する移動式ユニットは，大型トラックトレーラーを備え，この大型トラックトレーラーは，下方へ回転して広い床を形成する側壁部分と，上方へ摺動可能なパネル或はフレームとを有し，これらパネル或はフレームから側部屋根部分が広がる。この発明は，非常に複雑で立ち上げに時間がかかる，トレーラーに取り付けられた構造体を開示する。この発明は，牽引するとき外形の高さが低くない。
【００１１】
ブルース  エイ．ジャーゲンセン(Bruce A. Jurgensen)の特許第５３４５７３０号が教示する伸張可能構造体は，選択された場所で伸長して，コア構造体と隣接伸長部とを内蔵する複合構造体にすることが可能である。この特許が開示する装置もまた，横方向にのみ伸長し，牽引されるとき風の抵抗を弱めるために低くすることができない。
【００１２】
ブライアン  ディー．ジョンソン他(Brian D. Johnson et al)の特許第５７６１８５４号は，伸長構造体を形成するための側部が下方へ折り畳まれた容器を記載している。この特許が開示する装置もまた，横方向にのみ伸長し，牽引されるとき風の抵抗を弱めるために低くすることができない。
【００１３】
レイ  アール．グンタード(Ray R. Gunthardt)の特許第５７９７２２４号は，多数の複雑な部材と機構から成り，全体では非常に重量が重く建設が非常に複雑な多くの構造体を記載している。
【００１４】
ジョセ  レイモン  モリナ（Jose Raymon Molina）の特許第５８１５９８８号は，静止部分に蝶番により接続されている可動部分を有する伸張収縮可能なポータブル構造体を教示している。この特許は，中央ユニットから蝶番接続を介して突出し，従って牽引されるとき外形の高さが高い側部ユニット一式を有するフェン（Fennes）の特許第４６０３５１８号に類似である。
【００１５】
トマス  ケイ．ミグルスキ他(Tomasz K. Migurski et al)の特許第５９６４０６５号が開示する新型車両輸送可能野外救急医療システムは，コアモジュールから展開される外科用一式を備え，各々の伸長された部分は周辺のテント地帯に囲まれた外科治療室を形成している。この特許は，この装置の複雑さを熟知している人々が長い時間をかけて建設する特別の目的を有し複雑で専門化されている構造体に関する。
【００１６】
ジュアン  アール．カリノウスキー（Juan R. Kalinowski）の特許第５５９６８４４号に記載の折り畳み可能ポータブル建築物は，国際的に標準化された(ＩＳＯ）貨物コンテナの外形寸法内に納まるように折り畳むことが可能である。この特許は，折り畳まれた状態では非常に重く，建設が非常に複雑なユニットを開示している。
【００１７】
レランド  エム．モリス他（Leland M. Morris）の特許第５９６６９５６号が教示するポータブルユニットは，標準貨物輸送コンテナとして海上輸送するために折り畳み可能である。この特許に記載の重量構造体もまた，煩雑であり，輸送するには重過ぎる。
【００１８】
このように，中央骨組に固定され，牽引又はトラック積載運送により容易に輸送できる構造体が必要となる。このような装置は，通路の高さが低い場所で動き易いように外形の高さが低くなければならない。このような装置は，コンパクトでありしかも伸張可能であり，最小の数の人間により最小の時間で容易に建設できる構造体でなければならない。さらに，このような装置は，構造的に頑丈でなければならず，かつ，この構造体の下部部分が上部構造体を支持する自己支持式でなければならず，これによって，伸長ユニットを長時間使用する間に液圧手段或は同様の伸長手段にかかる応力を軽減する。
【発明の開示】
【００１９】
本明細書に開示されている発明は，一以上の部屋を収容する移動式伸張可能構造体を組み立て支持するための新規かつ独自のシステムに関する。より詳細には，これらの構造体は，長さ及び幅双方が同時に伸長し，次いで第２の操作で所望の高さへ全ての屋根部材を一緒に持ち上げる。この所望の高さは，現在の最良の形態ではほぼ８フィートである。いったんこのように持ち上げられると，屋根部分及び上部壁部分は，それらの持ち上げ位置で下部壁により構造的に支持される。これら下部壁は，上部壁と一直線上に位置する位置へ並進し，これによって，伸長モードにある間は構造体の上部半体を確実に支持する。
【００２０】
伸長及び屋根部材の持ち上げは，屋根部材を持ち上げる中央手段と，現在の最良の形態では，モータにより作動されるポンプからの加圧液と連通する液圧シリンダが成す側部伸長手段とにより行われる。しかしながら，当業者は，例えば螺子ジャッキ，或はケーブルとモータ，及び類似の機能の型式の装置のごときその他の通常の機械的手段も使用でき，このようなものが予測されることを理解するであろう。第２の手動バックアップ伸長システムは，好ましい液圧式システムを作動するためのバッテリ内に充分な電力がない場合に全く同一の結果を達成する。
【００２１】
これらの構造体は，様々な車両上に，或は固定基礎上に取り付けることができ，ヘリコプター或は大型トラックにより現場に荷卸しすることさえ可能である。伸長装置及び独自の折り畳み式床要素により，障害物がない広い面積の床空間が得られるので，内部構成は単一の大きい部屋から成ることが可能であり，キッチン及び化粧室を含む２つ以上の小部屋やその他の付加的なオプションを設けることも可能である。
【００２２】
構造体を輸送するとき，伸長して建設することになる構造体を形成する全ての構成要素は，縮小された位置で輸送するのが最良である。所望の建設現場に到達すると，車両に現行の最良の形態で取り付けられているとき，構造体の基礎は，まず初めに，構造体の前部にある舌部上の液圧式制御箱内の液圧式レバーを作動することにより水平にされて安定化される。これらの４つの制御装置は，基礎を形成する中央フレームの４つの隅にある液圧式ジャッキを作動する。これらの液圧式ジャッキは，最初に本装置の基礎を水平にするのに使用される手段である。次いで，液圧式制御箱内の別のレバーにより液圧式モータが液圧式ラム或はシリンダを作動し，これによって液圧式ラム或はシリンダは，互いに向かい合う側部を伸長する。これによって，中央上部ユニットと中央底部ユニットとの間に形成されている，中央構造体の内部キャビティ内の第１の縮小された位置から，伸長位置へ側部を水平方向に並進させる手段を提供する。伸張可能側部の長さが説明されたが，移動式伸張可能構造体の内部キャビティの全長に制限されない。移動式伸張可能構造体上の各側面部の長さと位置は変化してよいが，それでもこの特許の範囲内にある。側部が完全に伸長されると，中央屋根部及び側部屋根パネルは，互いに結合されて防水密封を形成する。次いで，側部の隅上の支持脚部は，手動で地面へ伸長されて，構造体一式を完全に安定化する。
【００２３】
次の操作は，中央液圧式シリンダにより全ての屋根要素を同時に持ち上げる手段として，液圧式制御箱内の液圧式レバーを作動することである。屋根要素は，好ましくは少なくとも２インチだけそれらの固定位置の上方へ持ち上げられなければならず，この分だけ前部及び後部の底部壁パネルを下降動作の前に調整することが可能になる。中央フレームの４つの隅にある伸縮式案内シリンダは，上部部分と底部部分とを位置合せする。前部及び後部にある上部及び底部壁パネルは，位置合せピン及びブッシングにより一般に供されている共働的に一直線上に係合させるための手段により位置合せされる。この独自の連動機構により，双方の端壁パネルの底部部分が，内部キャビティ内でかつ端壁パネルの上部部分の下でそれらの位置から移転され，屋根要素がそれらの固定位置に下降されると，構造体の前部及び後部の双方において上部部分は，底部部分により完全に支持され，その上に位置し固体の壁部分に結合する密封状態(seal)を形成することが可能となる。上部壁パネルの中心線からはずれている第１の位置から，上部壁パネルの中心線と一直線上にある第２の位置へ，端壁パネル組立体の底部壁パネルを並進させる手段が，この独自の機能を提供する。この機能は，現在の最良の形態では，上部壁パネルの底部端縁に沿って配置されているブッシング内の凹部内に係合するように，底部壁パネルの上部端縁から延びる２つ以上の面取り位置決めピンである。この位置合せされ密封された係合は，底部部分の摺動或は蝶番式並進(hinged translation)と組合せられる。底部部分を並進させて，端壁の上部部分と，共働的に密封され位置合せされた状態で係合させると，ロックされた側部屋根部及び中央屋根部の屋根構成要素と，これに取り付けられている壁の上部部分との主負荷が，中央液圧式シリンダから取り除かれ，端壁へ移される。本装置の長時間の使用中，これにより，液圧式シリンダ或はその他の持ち上げ手段が，これらの部分に常時かかる荷重から解放される。さらにこれにより，構造体の住人の安全性が付加的に高まる。何故ならば上部部分が底部へ崩れ落ちる可能性が，一直線上で全ての荷重を支持する底部端壁により軽減されるからである。屋根が雪或いは氷或いは土により覆われて，上部部分の重量が増加すると，一直線上で下部端壁が係合することにより得られ，上部端壁により密封される支持の仕組みにより，付加的な耐負荷性が高まり，住人の安全性も高まる。
【００２４】
少なくとも一のドア，しかし好ましくは，前部端壁及び後部端壁の双方に一ずつある２つのドアが，好ましくは，２つの部分から形成され，通常のダッチドア（Dutch door）のように動作する。２つの部材から成り，各部材にドア半体が取り付けられている端壁を使用することにより，下部部分におけるドアハンドル及びロックと，上部部分における第２のロックとは，独立的に回動する。しかしながら，２つの部分から成り，位置合せされ恒久的に係合されているドアも使用できる。ドア及び壁パネル内の窓は，顧客の要求により選択される。
【００２５】
この好ましい実施形態では，側部のための床パネルは，上部部分の下部端縁に取り付けられているストラップにより自動的に上下される。上部部分が上昇されると，上部部分と床部分との間を連通するストラップが緩み，双方の側部床パネルが，中央床と面一の位置に下降され，これによって完全に平らな床が形成される。次いでストラップが接続解除されて保管される。この好ましい実施形態では，床パネル蝶番は，側部の各々における底部部分の最外側下部端縁に取り付けられ，これによって双方の側部が伸長された状態の完全伸長位置に本装置があるときに完全に平らな床が得られる。
【００２６】
第２の実施形態は，同一の中央部配置を特徴とするが，床パネルは，完全に平らな床を形成するために手動で下降されるように，中央フレーム構造体に取り付けられている内側端縁上に蝶番を介して接続している側面部の床を有する。
【００２７】
第３の実施形態も実質的に同一の中央部配置を使用するが，完全な底部側部を有し，この底部側部は床を含み，中央フレーム構造体に取り付けられている内側端縁に蝶番を介して接続している。これは，密封された封じ込め領域を有する領域を形成し，これによって，輸送或は保管されるときに装置及び備品が清潔な環境内に維持される。本発明のこの実施形態も，完全に平らな床表面を有する。
【００２８】
側部の上部部分のこの好ましい実施形態は，１部材から成るガラス繊維部分から形成されるが，これに制限されない。上部部分は，前端及び後端パネルと，一対の側部パネルと，屋根パネルとから成る。上部部分及び底部部分の双方は，顧客の要求により決定されるべき一以上の窓を有することもあり，そうでないこともある側面パネルを有する。
【００２９】
一の付加的な好ましい実施形態では，所望の場合に重量を減じるために，側部の上部部分は，防水性布により覆われている管状骨組である。側部の端部，側面及び上面を覆うだけでなく，この布は側壁を通過して延びて，引込み可能日除けを形成することも可能である。側面部の上部部分を覆うのに使用される布は，構造体のための動作電力を発生させるための可撓性光電池を内蔵することもある。
【００３０】
本構造体の代替の好ましい実施形態では，２つの別々の構造体の端壁パネルの各々がヘッダユニットにより置き換えられ，これによってこの実施形態は，２つ以上の構造体をともに次々と繋ぎ合わせて，単一の構造体における開けた平らな床領域の２倍を形成する。
【００３１】
本発明の目的は，縮小されるか組み立てられたとき，市販用及び政府用の契約の厳しい構造的仕様及び要件を満たす移動式伸張可能構造体を提供することにある。
【００３２】
本発明の別の目的は，過剰に重くはない移動式伸張可能構造体を提供することにある。
【００３３】
本発明のさらなる目的は，１０分間未満で伸長及び設置可能な移動式伸張可能構造体を提供することにある。
【００３４】
本発明の付加的な目的は，完全に伸長されると，縮小されたサイズの２倍に近い移動式伸張可能構造体を提供することにある。
【００３５】
本発明のさらに別の目的は，伸長されると，天井が８フィートであり，床が完全に平らであり，壁が垂直である状態の移動式伸張可能構造体を提供することにある。
【００３６】
本発明のさらなる目的は，ガラス窓を設けることができる壁，端部パネル及びドアを有する移動式伸張可能構造体を提供することにある。
【００３７】
本発明のさらに別の一の目的は，２つの部材から成る前壁及び後壁パネルシステムを有し，これらを連動すると２つの剛性構造端壁ユニットを形成し，構造体の上部半体の重量が底部端壁により完全に支持されている移動式伸張可能構造体を提供することにある。
【００３８】
本発明の別の一の目的は，側面部の2つの上部部分が，電力を発生させる防水性光起電性材料により覆うことができる移動式伸張可能構造体を提供することにある。
【００３９】
本発明のさらに別の一の目的は，内側及び外側に回転させることができ，中央床領域を有する密封区画を形成する伸張可能側面部を有する移動式伸張可能構造体を提供することにある。
【００４０】
本発明の一の付加的な目的は，狭く低い外形を得るように縮小して，道路上で自動車の後ろで容易に牽引することが可能である移動式伸張可能構造体を提供することにある。
【００４１】
後述する説明から明らかになるこれら及びその他の特徴及び利点は，以下により詳細に説明されクレームに記載される構造及び動作の詳細の中に記載されている。本明細書の一部を形成する添付図面を参照する。図中，同一の参照番号は同一の部分を示す。
【００４２】
本明細書に組み込まれその一部を成す添付図面は，本発明の実施形態を示し，その記述と共に本発明の原理を説明するのに用いられる。
【発明を実施するための最良の形態】
【００４３】
図１を参照する。図１は，縮小位置における移動式伸張可能構造体１０を示す。中央構造体１２は，１部材から成る中央構造体底部ユニットを覆う状態で示される中央屋根部１８を有する上部ユニット１４から成る。中央構造体１２の遠位端には上部壁パネル２４及び底部壁パネル２６が設けられ，上部壁パネル２４と底部壁パネル２６とは一直線上に並進して連動され，剛性構造端壁パネル組立体２０を形成する。中央組立体１２の両端にある典型的な端壁パネル組立体２０には，上部ドア部材を２８，下部ドア部材を３０とするダッチ型ドアが組み込まれている。現在の最良の形態でのドア部材は，独立的に動作し，双方が別個のロッキング能力を有し，また一緒に連動して単一のドアユニットとして動作することも可能である。
【００４４】
上部壁パネル２４の中心線から外れている第１の位置から，上部壁パネル２４の中心線と一直線上にある第２の位置へ，端壁パネル組立体２０の底部壁パネル２６を並進させる手段が設けられていて，このような分離を可能にしている。これは，底部壁パネル２６を中央構造体１２の内部へ向かって並進させて，上部壁パネル２４との一直線上の位置からずらし，これによって，端壁組立体２０と，これに取り付けられている中央屋根部１８とをたたんで，輸送のための図１の収縮位置をとることが可能となる。また上部壁パネル２４の底部端縁と底部壁パネル２６の上部端縁とを共働的に位置合わせし係合させる手段が，２つ以上の面取り位置決めピン８２の形態で設けられており，この位置決めピン８２は底部壁パネルの上部端縁から延びて，上壁パネル２４の底部端縁に沿って位置するブッシング８６内の凹部８４内に係合する。
【００４５】
ここではフレーム組立体７０が設けられている中央構造体１２の基礎は，４つの液圧式の昇降ジャッキ３２を各隅ごとに有し，中央構造体の基礎を水平にする手段を備える。内側キャビティは中央構造体１２内にあって，中央屋根部１８の下方でかつ２つの端壁組立体２０の間にある領域として画定される。中央構造体１２の前部には，牽引球体の受容体３６を有する牽引舌部３４が設けられ，これによって本装置をフレーム組立体７０に取り付けられている車輪で牽引することが可能である。前述のように，いくつかの例では，開示されている装置１０は，車輪３５無しで使用でき，この場合，この装置１０は，トラックの後部上或は航空機内に積んで輸送されてフォークリフト等により現場まで移動される。現在の最良の形態では車輪３５を有することを特徴としているが，それはどのような方法で本装置が輸送されようとその輸送を容易にするからである。ポータブル階段４２は，中央構造体１２のいずれかの端部にあるドアの前に配置して使用することが可能である。舌部３４上に取り付けられている好ましくは防水型の液圧制御箱３８が液圧式作動レバー４０を収容している。液圧式制御レバー４０を作動することにより，構造体は，所望の場所で水平にされることが可能であるだけでなく，伸張可能な第１の側面部４８Ａと，これと向かい合う伸張可能な第２の側部４８Ｂとが，同一の制御個所から縮小位置から伸長位置へ伸長されることが可能である。２つの伸張可能側部４８Ａ及び４８Ｂが示されているが，移動式伸張可能構造体は，単一の側部４８のみを内蔵することも可能であることを理解されたい。２つの伸張可能側部４８Ａ及び４８Ｂの場合程には広い床スペースは得られないものの，依然としてこの特許の範囲内であることが予測され，前述の２つの部品から成る支持端壁組立体２０を使用することによって，ポータブル構造体に大幅な改善をもたらす。
【００４６】
２つの伸張可能側部４８Ａ及び４８Ｂは典型的な基本形態であり，上部部分５０Ａ及び５０Ｂと底部側壁部５２とにより選択しうる２つの代替実施形態を伴っている。伸張可能側部４８Ａ及び４８Ｂの実施形態では，上部部分５０Ａは，屋根パネル５４と，第１の上端パネル５６及び第２の上端パネル５８と，上部側部パネル６０とから成る。側部は，中央キャビティ７１内部の縮小位置から伸長されると，これらの側部の遠位端が側部支持脚部６２により支持される。これらの支持脚部６２は，４つの隅で液圧式水平調整用ジャッキ３２により中央構造体１２を持ち上げると同時に，手動で位置決めされる。任意選択の窓６４は，上部側部パネル６０の内のいずれか，或は端壁組立体２０の上壁パネル２４内のいずれかに付加するか，或は上部ドア部材２８に選択的に付加することができ，これによって内部からの視野が改善される。
【００４７】
図３は，伸張状態における移動式伸張可能構造体１０の平面図を示し，中央屋根部１８の一部が，側部屋根パネル５４の一部と一緒に切除され，これによって中央床パネル６６と，側部床パネル６８Ａの好ましい実施形態とが現れている。また，床パネル６６と６８は切除されて基礎を形成する床組立体７０を示している。案内レール７２及び伸長作動レール７４を伸長することにより，側部４８ａ及び４８ｂ及び屋根パネル５４が中央キャビティ７１内での縮小位置から，中央構造体１２の側面から突出している伸長位置へ側部４８Ａ及び４８Ｂを伸長させることが容易になる。中央上部ユニット１４と中央底部ユニット１６との間に形成されている，中央構造体１２の内側キャビティ内の第１縮小位置から，伸長位置へ伸張可能側部４８Ａ及び４８Ｂを並進させる手段が，現在の最良の形態では，必要に応じて側部全体を内側キャビティ７１内に入れ出しする作動レール７４へ伸長及び収縮を伝達する液圧式シリンダにより得られる。伸張可能側部１４及び１６の最大長が，両端壁組立体２０間の内側キャビティ７１の全長に亘り示されている。移動式伸張可能構造体１０上における側部１４及び１６の各々の長さと位置は，変化してよいが，なおもこの特許の範囲内にある。側部１４の幅は，内側キャビティ７１の幅により決められる。すなわち側部１４は，実質的に内側に縮小されるので，結果として，内側キャビティ７１の幅のほぼ１／２であれば縮小時に最大の圧縮を達成するのに最良の最大幅が得られる。しかしながらある種の用途で所望されれば，さらに大型の移動式伸張可能構造体１０が，側部１４が中央キャビティ７１の側面の上を突出するようにすることにより達成できる。
【００４８】
中央屋根部１８は，２つの側部上部部分５０Ａ及び５０Ｂと，側部の屋根パネル５４と共働的に結合され，これによってこれらは単一のユニットとして上下する。中央屋根部１８と，２つの側部５０Ａ又は代替的な実施形態の側部５０Ｂとを，連通屋根パネル５４と一緒に上下させる手段が，構造体１２内の中心に配置され，この手段は，現在の最良の形態では液圧式ジャッキシリンダ７６である。このようにして，液圧式ジャッキが中央屋根部１８を上下させると，すべてのその他の前述の共働的に結合されている部材が，それと共に上下する。現在の最良の形態では，中央液圧式ジャッキ７６が屋根を上昇させると，隅にある４つの伸縮式案内シリンダにより，中央構造体上部１４と中央構造体底部１６とが，互いに位置合せされて係合される。
【００４９】
図４は，伸長された移動式構造体１０の断面図であり，端壁組立体２０が建設位置で示されている。この場合，上壁パネル２４は，中央構造体１２の上部に剛性構造で取り付けられ，底部壁パネル２６は，フレーム組立体７０に調整可能に取り付けられ，これによって基礎が得られる。
【００５０】
図示のように，底部壁パネルは，設置の間，上部部分の伸長及び収縮の間は上壁パネル２４の内側に位置決めされている。これによって，上壁パネル２４と，ひいては中央屋根部と，これに取り付けられている側部屋根部５４とが，上壁パネル２４が底部壁パネル２６のそばを並進するようにすることにより下降して大幅により小型化され輸送に適したものになる。
【００５１】
図５は，移動式伸張可能構造体１０の断面図であり，伸長位置あるいは完全に立ち上げられた位置にあるとき，上壁パネル２４と底部壁パネル２６とが，位置合せされて剛性構造の壁パネル２０を形成することを示す。さらに図６は，立ち上げ位置におけるパネル２４及び２６を示し，この場合，壁パネル位置合せピン８２は，底部壁パネル２６の上部端縁上に位置し，これによって，これら２つの間の位置合せ手段が得られる。位置合せ開口８６を有するブッシング８４は，上壁パネル２４の下部端縁上に位置する。
【００５２】
上部端壁の中心線から外れている第１の位置から，上部端壁の中心線と一直線上にある位置へ端壁の底部部分を並進させる手段が，フレーム組立体７０に取り付けられている底部壁パネル２６の底部端縁上に位置する位置再調整リンク８８により示されているように，設けられている。これによって，上壁パネル２４の直接下にある壁パネル２６の調整が，位置再調整リンク８８上で回転させることにより容易に達成される。別のこのような手段がスライド機構により得られ，こうして同一の結果を達成するが，これは本特許の範囲内にある。しかし，現在最良の形態は位置再調整リンク８８を有し，これによって，底部壁パネル２６の位置を単に回転させて上壁パネル２４の走行路から外すことにより，底部壁パネル２６と上壁パネル２４とが，上部部分を下降する間，互いに対して水平方向に並進するようにする。
【００５３】
図７は，互いに位置合せされた係合状態で連動位置にある壁部２４及び２６を示す。前述のように，獲得できる一の大きい利点は，上壁パネル２４に沿って底部壁パネル２６を並進させることによって，上部及び下部壁パネルが係合されて，それによって構造体の剛性構造重量支承要素となり，中央屋根部１８の重量と，これに係合されている側部屋根部５４，上部側部パネル及び上部端部パネル５６，中央屋根部１８に係合されている全ての重量を底部壁パネル２４へ伝達することである。
【００５４】
図８は，伸長された移動式構造体１０の断面図であり，床パネル持ち上げストラップ８９及び取り付け手段９２を有する床パネル蝶番機構８０を中心に回動する側部床パネル６８Ａの好ましい実施形態を示す。このストラップ機構は，上部部分５０Ａがこの場合には液圧式ジャッキシリンダ７６により上下されるとき，床パネル６８Ａを自動的に上下させる手段を提供する。各持ち上げストラップは，伸張可能側部上部部分５０Ａの下部端縁に取り付けられ，蝶番８０と向かい合う床パネル６８Ａの端部上の取り付け手段９２に係合され，これによって，側部上部５０Ａが上昇されるとストラップ８９は，側部底部の端縁上を並進して，側面床パネル６８Ａを下降させる。この動作は逆にも行われる。すなわち，上部部分５０Ａを上昇させると，共働的に係合されているすべての部材が上昇される。また，側部上部５０Ａが上昇されると側部床パネル６８Ａが上昇される。これは図９に示されている。
【００５５】
図１０は，下降位置における側部上部５０Ａを有する移動式伸張可能構造体１０の断面図である。この図は，反対側に取り付けられている床パネル蝶番機構８０を中心に回動する側部床パネル６８Ｂの動作を示す。前述のものと同一のストラップ手段は，プーリ（図示せず）が蝶番８０の上方に取り付けられている場合には自動的上下操作に使用できる。
【００５６】
図１１は，一端から見た移動式構造体の別の断面図である。この図は，側部４８Ａが，輸送のために中央キャビティ７１内へ回動する側部床パネル６８Ｃに取り付けられている状態の第３の好ましい実施形態の動作を説明するために伸張可能構造体１０を示す。この実施形態は，側部床パネル６８ａが，下部側部ユニット一式として底部側壁部５２及び下部側部端部パネル５９に取り付けられ，この下部側部ユニットは蝶番７０を中心として回転して中央キャビティ７１に入れ出しする点以外，全てのその他の面では同一に機能する。
【００５７】
図１２は，防水性布覆い９４を有する伸張可能側部上部部分５０Ｂの別の好ましい実施形態を示す移動式伸張可能構造体１０の断面図である。防水性布覆い９４は管状骨組９２により適所に保持され，日除け骨組９６を有する日除け延長部９８も内蔵する。日除け延長部９８は，日除けの角度調整を行うために蝶番可能支持機構１００を有する。この実施形態は，図１１の回転下部部分の実施形態と組合せると良好に動作する。
【００５８】
本発明は，本明細書において本発明の特定の実施形態を参照して説明されたが，前述の開示内において改変，様々な変更及び置換は許容されるものとし，いくつかの例では本発明のいくつかの特徴が，クレームにより画定される本発明の範囲から逸脱することなしに，別の特徴に対応して使用することなく採用される。
【図面の簡単な説明】
【００５９】
【図１】は，輸送準備完了の縮小された状態にある開示されている移動式伸張可能構造体の斜視図である。
【図２】は，伸長状態にある移動式伸張可能構造体の斜視図である。
【図３】は，床領域を表示するために屋根の一部が切除され，床部材を表示するために側部床の一部が切除されている伸長状態にある移動式伸張可能構造体の上面図である。
【図４】は，立ち上げ位置にある上部及び底部前壁パネルを示す，移動式伸張可能構造体の断面図である。
【図５】は，図４の立ち上げ位置から下降された連動位置における上部及び底部前壁パネルを示す，移動式伸張可能構造体の断面図である。
【図６】は，立ち上げ位置における，２つの部材から成る端壁区画の詳細である。
【図７】は，連動位置及び負荷支持位置における，２つの部材から成る端壁区画の詳細である。
【図８】は，側部床パネルの好ましい実施形態を示す，典型的な壁パネルが示されている伸張された移動式構造体の断面図である。
【図９】は，側部床パネルの好ましい実施形態の動作を示す，屋根パネル及び上部部分が下降されている状態の移動式伸張可能構造体の断面図である。
【図１０】は，側部床パネルの第２実施形態の動作を示す，側部上部部分が下降位置にある移動式構造体の断面図である。
【図１１】は，側部床パネルの第３実施形態の動作を示す，屋根パネルが下降されている状態の移動式構造体の断面図である。
【図１２】は，布カバー及び日除けを有する側部上部部分の第２の好ましい実施形態を示す，一の側面及び屋根が伸長位置にある伸長状態の移動式構造体の断面図である。
【図１】
2005536666.tif 000003
【図２】
2005536666.tif 000004
【図３】
2005536666.tif 000005
【図４】
2005536666.tif 000006
【図５】
2005536666.tif 000007
【図６】
2005536666.tif 000008
【図７】
2005536666.tif 000009
【図８】
2005536666.tif 000010
【図９】
2005536666.tif 000011
【図１０】
2005536666.tif 000012
【図１１】
2005536666.tif 000013
【図１２】
2005536666.tif 000014
【国際調査報告】
2005536666.tif 000015
2005536666.tif 000016